(57)【特許請求の範囲】
【請求項１】
前後方向と上下方向と胴周り方向とを有し、股下域と前記股下域の前方に形成された前胴周り域と前記股下域の後方に形成された後胴周り域とを含み、前記前胴周り域における前記胴周り方向の両側それぞれに位置して前記上下方向へ延びる前方側縁部と前記後胴周り域における前記胴周り方向の両側にそれぞれ位置して前記上下方向へ延びる後方側縁部とがファスナを介して分離可能に連結されていて、胴周り開口と一対の脚周り開口とが形成されており、前記ファスナが前記胴周り開口から前記脚周り開口にまで延びているパンツ形状の着用物品であって、
前記ファスナが前記着用物品の着用者の肌側に位置する第１ファスナ部と、前記着用者の着衣側に位置して前記第１ファスナ部に前記着用物品の外側から重なり前記第１ファスナ部に分離可能かつ再結合可能に係合する第２ファスナ部とを含んでいて、前記第１ファスナ部が前記前方側縁部と前記後方側縁部とのうちの一方の側縁部にあって前記第２ファスナ部がもう一方の側縁部にあり、
前記第１ファスナ部は、前記一方の側縁部の内面側にあって前記一方の側縁部から前記胴周り方向への延出部位を含むベースシート部分と、前記ベースシート部分の外面のうちの前記延出部位における外面に形成されていて前記第２ファスナ部の内面が係合する係合域とを有し、
前記一方の側縁部は、前記胴周り方向において、前記ベースシート部分の前記外面の一部分が接合されている固定部位と、前記固定部位よりも前記胴周り方向の外側にあって前記ベースシート部分に接合されていない非固定部位とを有し、
前記着用物品は、前記胴周り開口の縁に沿って伸長状態で延びる胴周り弾性部材と、前記脚周り開口の縁に沿って伸長状態で延びる脚周り弾性部材と、前記上下方向において前記胴周り弾性部材と前記脚周り弾性部材との間にあって前記胴周り方向へ伸長状態で延びる中間弾性部材とを有し、
前記非固定部位は、前記胴周り方向において、前記一方の側縁部の外面を内側にして折り返された状態にあり、前記第１ファスナ部と前記第２ファスナ部とを結合してパンツ形状にした状態では前記着衣側に位置し、前記胴周り弾性部材と、前記脚周り弾性部材と、前記中間弾性部材とのいずれをも含まないことを特徴とする前記着用物品。
【請求項２】
前記非固定部位は、前記上下方向へ延びる折曲線に沿って前記胴周り方向へ折り返された状態にある請求項１に記載の着用物品。
【発明の詳細な説明】
【技術分野】
【０００１】
この発明は、使い捨てのおむつや使い捨てのトレーニングパンツ、使い捨てのパンツ等として使用するのに好適なパンツ形状の着用物品に関する。
【背景技術】
【０００２】
従来、パンツ形状を有する使い捨ての着用物品であって、前後胴周り域の側縁部どうしがファスナによって分離可能に連結されているものは公知である。例えば、特表２００２−５３２１４７号公報（特許文献１）に記載のトレーニングパンツは、前胴周り域のサイドパネルの外面にフック式留め具を有し、後胴周り域の不織布で形成されたサイドパネルの内面をそのフック式留め具の外面に離脱可能に係合させることができる。トレーニングパンツの上下方向において、前胴周り域のサイドパネルと後胴周り域のサイドパネルは、胴周り開口の縁から脚周り開口の縁にまで延びており、フック式留め具もまた同じように延びている。それゆえ、前胴周り域のサイドフラップの外面に後胴周り域のサイドフラップの内面が重なって、これら両サイドフラップがフック式留め具を介して係合すると、前後胴周り域と前後胴周り域とが連結されてパンツ形状が形成される。
【０００３】
特開２００８−０１２１１５号公報（特許文献２）に記載されたパンツ型の着用物品は、前後胴周り域の側部どうしが連結手段を介して分離可能に連結される。連結手段は、前胴周り域における側部の外面に取り付けられたフック部材と、後胴周り域における側部の内面に取り付けられたループ部材とを含み、着用物品の上下方向において、これらフック部材とループ部材とが胴周り開口の縁から脚周り開口の縁にまで延びている。前胴周り域の側部の外面に後胴周り域の側部の内面が重なると、前後胴周り域の側部どうしが連結手段を介して連結されて着用物品はパンツ形状になる。
【特許文献１】特表２００２−５３２１４７号公報
【特許文献２】特開２００８−０１２１１５号公報
【発明の開示】
【発明が解決しようとする課題】
【０００４】
これら従来の着用物品は、乳幼児を立たせたままで着用させることができるという利点の他に、乳幼児を立たせたままで尿や便の排泄の有無を容易に点検することができたり、着用物品を脱がせたりするときに着用物品の側部を簡単に開くことができたりするという利点を備えている。しかし、特許文献１に記載のトレーニングパンツであれば、前胴周り域のサイドフラップの外面に係合している後胴周り域のサイドフラップは、それに手や着衣が触れると、その触れ方によっては係合相手である前胴周り域のサイドフラップから必要としていないのに外れ始めるということがある。特許文献２に記載の着用物品も同様であって、前胴周り域の側部の外面におけるフック部材にループ部材が係合している後胴周り域の側部は、そこに手や着衣が触れると、その触れ方によっては係合していた前胴周り域の側部から必要としていないのに外れ始めるということがある。
【０００５】
そこで、この発明は、互いに連結されている前胴周り域の側部と後胴周り域の側部とが必要としていないのに外れるということがないように、従来のパンツ形状の着用物品に改良を施すことを課題にしている。
【課題を解決するための手段】
【０００６】
前記課題を解決するため、この発明が対象とするのは、前後方向と上下方向と胴周り方向とを有し、股下域と前記股下域の前方に形成された前胴周り域と前記股下域の後方に形成された後胴周り域とを含み、前記前胴周り域における前記胴周り方向の両側それぞれに位置して前記上下方向へ延びる前方側縁部と前記後胴周り域における前記胴周り方向の両側にそれぞれ位置して前記上下方向へ延びる後方側縁部とがファスナを介して分離可能に連結されて、胴周り開口と一対の脚周り開口とが形成されており、前記ファスナが前記胴周り開口から前記脚周り開口にまで延びているパンツ形状の着用物品である。
【０００７】
かかる着用物品において、本発明が特徴とするところは、次のとおりである。前記ファスナは、前記着用物品の着用者の肌側に位置する第１ファスナ部と、前記着用者の着衣側に位置して前記第１ファスナ部に前記着用物品の外側から重なり前記第１ファスナ部に分離可能かつ再結合可能に係合する第２ファスナ部とを含んでいて、前記第１ファスナ部が前記前方側縁部と前記後方側縁部とのうちの一方の側縁部にあって前記第２ファスナ部がもう一方の側縁部にある。前記第１ファスナ部は、前記一方の側縁部の内面側にあって前記一方の側縁部から前記胴周り方向への延出部位を含むベースシート部分と、前記ベースシート部分の外面のうちの前記延出部位における外面に形成されていて前記第２ファスナ部の内面が係合する係合域とを有する。前記一方の側縁部は、前記胴周り方向において、前記ベースシート部分の前記外面の一部分が接合されている固定部位と、前記固定部位よりも前記胴周り方向の外側にあって前記ベースシート部分に接合されていない非固定部位とを有し、前記着用物品は、前記胴周り開口の縁に沿って伸長状態で延びる胴周り弾性部材と、前記脚周り開口の縁に沿って伸長状態で延びる脚周り弾性部材と、前記上下方向において前記胴周り弾性部材と前記脚周り弾性部材との間にあって前記胴周り方向へ伸長状態で延びる中間弾性部材とを有し、前記非固定部位は、前記胴周り方向において、前記一方の側縁部の外面を内側にして折り返された状態にあり、前記第１ファスナ部と前記第２ファスナ部とを結合してパンツ形状にした状態では前記着衣側に位置し、前記胴周り弾性部材と、前記脚周り弾性部材と、前記中間弾性部材とのいずれをも含まない。
【００１０】
この発明の実施形態の他の一つにおいて、前記非固定部位は、前記上下方向へ延びる折曲線に沿って前記胴周り方向へ折り返された状態にある。
【発明の効果】
【００１２】
この発明に係る着用物品は、前方側縁部と後方側縁部とがファスナを介して連結されてパンツ形状のものになっており、前記側縁部と後方側縁部のうちの一方の側縁部は、ファスナのうちの第１ファスナ部におけるベースシート部の外面が接合される固定部位と、ベースシート部の外面が接合されることのない非固定部位とを有する。その一方の側縁部における非固定部位は、側縁部の外面が内側となるように胴周り方向へ折り返された状態にあることによって、第１ファスナ部に対して着用物品の外側から重なるようにして係合している第２ファスナ部は、着用者の手や着衣が接触しにくく、第２ファスナ部に手や着衣が接触して第２ファスナ部が必要としていないにもかかわらず第１ファスナ部から外れ始めて前方側縁部と後方側縁部との連結が解けるという問題を解消することができる。
【発明を実施するための最良の形態】
【００１３】
この発明に係るパンツ形状の着用物品として使い捨てのパンツ型おむつを例にとり、発明の詳細を説明すると、以下のとおりである。
【００１４】
図１は、パンツ型おむつ１の部分破断斜視図であって、おむつ１の前後方向と上下方向と胴周り方向とのそれぞれが双頭矢印Ａ，Ｂ，Ｒで示されている。おむつ１は、前胴周り域６と、後胴周り域７と、これら両域６，７の間に介在する股下域８とを有している。これら各域６，７，８は、互いに重なり合う透液性内面シート２と不透液性外面シート３と、これら両シート２，３間に介在する体液吸収性芯材４（図２参照）とを含んでいる。前胴周り域６では、胴周り方向Ｒの両側にあって上下方向Ｂへ延びる前方側縁部１１に前方ファスナ部１２が形成されている（図２参照）。後胴周り域７では、胴周り方向Ｒの両側にあって上下方向Ｂへ延びる後方側縁部１３に後方ファスナ部１４が形成されている。内面シート２は例えば不織布によって形成されるものであり、外面シート３は例えばプラスチックフィルムや不織布、プラスチックフィルムと不織布との複合シート等によって形成されるものである。
【００１５】
前方ファスナ部１２と後方ファスナ部１４とは、前後胴周り域６，７を分離可能に連結するためのファスナ２０を形成するものであって、前方ファスナ部１２はベースシート部分２１と、ベースシート部分２１の外面２１ａに係合域を形成することができるようにその外面２１ａに接合されているメカニカルファスナのフック部材２２とを含んでいる。ベースシート部分２１は、前胴周り域６の内面側にあって、好ましくは内面シート２や外面シート３よりも剛性の高い不織布や織布、プラスチックフィルムで形成されていて、外面２１ａの反対側に内面２１ｂを有する。フック部材２２には、例えば商品名マジックテープ（登録商標）で知られているメカニカルファスナのうちのフック部材が使用される。後方ファスナ部１４は、後方側縁部１３における内面シート２のうちの一部分、すなわち二条の鎖線１５で挟まれている部分であって、この部分において内面シート２を形成している不織布は、フック部材２２に対して離脱可能に係合するメカニカルファスナのループ部材として作用するものである。図１のおむつ１では、ファスナ２０を介して連結された状態にある前方側縁部１１と後方側縁部１３とが図の奥側に示されている他に、連結が外された状態にある前方側縁部１１と後方側縁部１３とが図の手前側に示されている。図中の仮想線で示された後方側縁部１３は、それが前方側縁部１１に連結されたときの状態を示している。
【００１６】
図１において明らかなように、前方ファスナ部１２におけるベースシート部分２１は、前方側縁部１１における固定部位２３に接着剤２５を介して接合されている内端部２６と、内端部２６から胴周り方向Ｒへ延びて前方側縁部１１の外側に位置する延出部２７とを有し、その延出部２７における外面２１ａにはフック部材２２が取り付けられている。前方側縁部１１は、固定部位２３の他に胴周り方向Ｒにおいて固定部位２３よりも外側に位置していて、ベースシート部分２１に対して接合されることのない非固定部位２４を有し、その非固定部位２４は、上下方向Ｂへ延びる折曲線Ｐに沿って、外面シート３が内側となるように胴周り方向Ｒにおいて折り返されている。
【００１７】
前後胴周り域６，７が分離可能に連結されてパンツ形状になっている図１のおむつ１には、胴周り開口３１と一対の脚周り開口３２とが形成されていて、ファスナ２０を形成している前方ファスナ部１２と後方ファスナ部１４とのそれぞれが胴周り開口３１から脚周り開口３２にまで延びている。ただし、図示例の前方ファスナ部１２では、胴周り開口３１から脚周り開口３２にまで延びるベースシート部分２１に対して、フック部材２２が上下に二分された状態で形成されている。前胴周り域６の前方側縁部１１は、胴周り開口３１から脚周り開口３２にまで延びていて、前方側縁部１１のうちの非固定部位２４はフック部材２２に沿うようにおむつ１の上下方向Ｂへ延びている。図において未だ前方ファスナ部１２に係合していない実線で示された後胴周り域７の後方側縁部１３における後方ファスナ部１４は、不織布で形成された内面シート２の一部分をフック部材２２の相手方となるループ部材とするもので、仮想線の如くおむつ１の外側から前方ファスナ部１２に重ねられてその不織布がフック部材２２に係合したときには、おむつ１がパンツ形状のものになって、周知のパンツ型おむつと同様に着脱することのできるものになる。そのときのおむつ１では、仮想線で示された後方側縁部１３に隣接している前方胴周り域６の非固定部位２４がおむつ１の外側に向かって突出するように折り返されているから、おむつ１の着用者の手や着衣が後方側縁部１３に接触して、必要としていないにもかかわらず後方ファスナ部１４が前方ファスナ部１２から外れ始めて、前方側縁部１１と後方側縁部１３との連結が解けるということを防ぐことができる。後方ファスナ部１４は、前方側縁部１１に連結されているときの後方側縁部１３における上方角部１３ａや下方角部１３ｂがめくれるように折り返されると、前方ファスナ部１２から簡単に外れ始めるということがあるが、非固定部位２４は角部１３ａや角部１３ｂに手が触れることの妨げになり、角部１３ａや角部１３ｂがそのようなめくれることを防ぐように作用する。
【００１８】
図２は、図１のおむつ１においてファスナ２０を介して連結されていた前胴周り域６と後胴周り域７とを分離し、おむつ１の全体を平らに伸展したときの部分破断平面図である。図２のおむつ１において、芯材４は砂時計型に形成されており、内面シート２と外面シート３とは芯材４の周縁から延出する部分においてホットメルト接着剤（図示せず）を介して間欠的に接合している。内面シート２と外面シート３とはまた、芯材４の表面に対してホットメルト接着剤（図示せず）を介して接合している。内面シート２と外面シート３との間には、前胴周り域６において幅方向Ｃへ伸長状態で延びる胴周り弾性部材１６と、後胴周り域７において幅方向Ｃへ伸長状態で延びる胴周り弾性部材１７と、股下域８において脚周り開口３２の縁に沿うように湾曲しながら伸長状態で延びる脚周り弾性部材１８とがあって、これら弾性部材１６，１７，１８がホットメルト接着剤（図示せず）を介して内面シート２および／または外面シート３に接合している。ただし、胴周り弾性部材１６と脚周り弾性部材１８とは、前方側縁部１１における固定部位２３と固定部位２３との間にあって、非固定部位２４の内側にまでは延びていない。また、胴周り弾性部材１７と脚周り弾性部材１８とは、後方ファスナ部１４と後方ファスナ部１４との間にあって、後方ファスナ部１４の内側にまでは延びていない。
【００１９】
図３は、図２のＩＩＩ−ＩＩＩ線切断面を示す図である。前方ファスナ部１２は、内面シート２の内側にあって、外面２１ａにフック部材２２が取り付けられている。そのフック部材２２には、仮想線で示された後方ファスナ部１４を形成している内面シート２が係合する。前方側縁部１１の固定部位２３には、接着剤２５を介してベースシート２１の内端部２６が取り付けられている。
【００２０】
おむつ１は、図２，３に示される形状になり得るものであるが、ユーザーに提供されるのは、前後胴周り域６，７が連結されていて、しかも再連結可能に分離することができるというパンツ形状のものである。
【００２１】
このようなおむつ１において、図１において上下に二分割されているフック部材２２は、フック部材２２とフック部材２２との間においてベースシート部分２１が変形して着用者の身体にフィットし易くなるという効果を奏するが、そのような効果を必要としない場合には、フック部材２２を一連のものに代えることができる。フック部材２２に係合するループ部材として内面シート２を使用している図示例の後方ファスナ部１４は、フック部材２２に対する係合・離脱の繰り返しに適した別部材としてのループ部材を内面シート２に接合したものに代えることができる。また、図示例のファスナ２０は、前方ファスナ部１２にメカニカルファスナのループ部材を使用し、後方ファスナ部１４にそのループ部材に係合するフック部材を使用したものに代えることもできる。さらにはまた、フック部材２２が形成されているベースシート２１を後胴周り域７における後方側縁部１３の内面に取り付けるとともに、後方側縁部１３にベースシート部分２１に対する非固定部位２４を形成する一方、前胴周り域６における前方側縁部１１の内面をおむつ１の外側からフック部材２２に係合させる態様でこの発明を実施することも可能である。
【００２２】
図４，５は、この発明の実施形態の一例を示す図１と同様な図と、図４におけるＶ−Ｖ線切断面を示す図である。図４のおむつ１における前胴周り域６には、胴周り開口３１の縁に沿って延びている胴周り弾性部材１６とおむつ１の上下方向Ｂにおいて胴周り弾性部材１６と脚周り弾性部材１８との間にあって胴周り方向Ｒへ延びている中間弾性部材３６とを含んでいる。図４におけるＶ−Ｖ線は、その弾性部材３６の断面を示すことのできる位置にある。胴周り弾性部材１６と、脚周り弾性部材１８と、中間弾性部材３６とは、前胴周り域６における前方側縁部１１の非固定部位２４にまで伸長状態で延びている。非固定部位２４は、これら弾性部材１６，１８，３６が収縮することに伴って、外面シート３が内側となるように湾曲しており、実質的な意味において胴周り方向Ｒへ折り返された状態にある。非固定部位２４のかような湾曲を促進するために、弾性部材１６，１８，３６のうちの少なくとも中間弾性部材３６が、好ましくは胴周り弾性部材１６と中間弾性部材３６とが非固定部位２４においては内面シート２に接合されていて、外面シート３にはほとんど接合されていない状態にある。また、胴周り弾性部材１６と中間弾性部材３６とが内面シート２と外面シート３とに接合されている場合であっても、より好ましくは外面シート３に対する接合面積が内面シート２に対する接合面積よりも小さくなるような接合状態にある。このような状態にある胴周り弾性部材１６や中間弾性部材３６は、内面シート２に接している部位よりも外面シート３に接している部位において容易に収縮して、非固定部位２４を図示例の如く湾曲させることができる。おむつ１の後胴周り域７における後方側縁部１３の内面には、図１におけるループ部材としての内面シート２に代わってループ部材となる内面シートとは別体ループ部材３８が内面シート２の内面に取り付けられている。ループ部材３８には、フック部材に対して最適なループ形状を持つものを選ぶことができる。一方、内面シート２には、フック部材との係合を無視して、透液性や肌触りのよいシート材料を選ぶことができる。後胴周り域７において胴周り方向Ｒへ伸長状態で延びる胴周り弾性部材１７と中間弾性部材３７とは、ループ部材３８とループ部材３８との間にあって、ループ部材３８には届くことのないものであることが好ましい。弾性部材１７，３７がそのような状態にあれば、後方側縁部１３はループ部材３８の取り付けられている部位が非弾性域になって、ループ部材３８には弾性部材の影響によるギャザーが生じない。
【００２３】
図６，７もまた、この発明の実施形態の一例を示す図４，５と同様な図である。図示例の前方ファスナ部１２におけるベースシート部分２１は、図７において逆Ｓ字形を画くようにして折り重ねられているシート片４０によって形成されている。そのシート片４０は、第１，第２接着剤５１，５２を介してシート片４０どうしが接合されている。シート片４０はまた、第３接着剤５３を介して前胴周り域６の前方側縁部１１に接合されている。かようなシート片４０では、第１接着剤５１を介して互いに重なり合っている部分４３が、図３におけるベースシート部分２１と同様に作用するベースシート部分２１になっていて、胴周り方向Ｒにおいて前方側縁部１１から延出している部位にはフック部材２２が接合されている。シート片４０のうちで第３接着剤５３を介して内面シート２と一体化している部分４４は、前方側縁部１１の内面側の剛性と引き裂き強度とを高めるように作用していて、前方側縁部１１の一部分とみなされる部分である。したがって、第２接着剤５２は、図７においてのベースシート部分２１の外面２１ａと前方側縁部１１の内面とを接合するための部位となるもので、図３の前方側縁部１１における接合部位２３を形成している接着剤２５に相当している。ただし、第２接着剤５２は、シート片４０の部分４３が胴周り方向Ｒの外側に向かって引っ張られたときに、部分４４の内端部４４ａに第３接着剤５３に対する剥離力が作用することを防ぐようにも作用している。このような図７における前方側縁部１１もまた、胴周り方向Ｒにおいて、第２接着剤５２の外側に非固定部位２４を有している。前方側縁部１１はさらにまた、内面シート２と外面シート３との間に介在する胴周り弾性部材１６と、脚周り弾性部材１８と、中間弾性部材３６とを有し、これらの弾性部材１６，１８，３６が内外面シート２，３のうちの少なくとも内面シート２にホットメルト接着剤（図示せず）を介して伸長状態で接合されている。前方側縁部１１の非固定部位２４は、これら弾性部材１６，１８，３６が収縮することに伴い、胴周り方向Ｒへ折り返されるように湾曲している。その湾曲する態様では、内面シート２と第３接着剤５３とベースシート部分２１の部分４４とを含む部位が外側になり、外面シート３が内側になっている。このように湾曲しておむつ１の外側へ突出した状態にある非固定部位２４もまた、必要としないにもかかわらず後方側縁部１３が前方側縁部１１から外れ始めるということを防ぐことができる。
【００２４】
使い捨てのおむつ１を例にとって説明したこの発明は、トレーニングパンツや失禁患者用パンツ等のパンツ形状を有する着用物品において実施することができる。
【図面の簡単な説明】
【００２５】
【図１】パンツ形状にあるときの着用物品（使い捨ておむつ）の部分破断斜視図。
【図２】着用物品の部分破断平面図。
【図３】図２のＩＩＩ−ＩＩＩ線切断面を示す図。
【図４】実施形態の一例を示す図１と同様な図。
【図５】図４のＶ−Ｖ線切断面を示す図。
【図６】実施形態の他の一例を示す図４と同様な図。
【図７】図６のＶＩＩ−ＶＩＩ線切断面を示す図。
【符号の説明】
【００２６】
１    着用物品（おむつ）
６    前胴周り域
７    後胴周り域
８    股下域
１１    前方側縁部
１２    第１ファスナ部（前方ファスナ部）
１３    後方側縁部
１４    第２ファスナ部（後方ファスナ部）
１６    胴周り弾性部材
１７    胴周り弾性部材
１８    脚周り弾性部材
２０    ファスナ
２１    ベースシート部分
２１ａ    外面
２２    フック部材
２３    固定部位
２４    非固定部位
３１    胴周り開口
３２    脚周り開口
３６    中間弾性部材
Ａ    前後方向
Ｂ    上下方向
Ｐ    折曲線
Ｒ    胴周り方向
【図１】
0005421547.tif 000002
【図２】
0005421547.tif 000003
【図３】
0005421547.tif 000004
【図４】
0005421547.tif 000005
【図５】
0005421547.tif 000006
【図６】
0005421547.tif 000007
【図７】
0005421547.tif 000008